(57)【要約】【課題】位置基準マークが施された２つのレンズ間に更にレンズが配置される場合でも、簡単且つ正確にレンズ位置調整が行える光学系を提供する。【解決手段】本発明の光学系は、レンズの表面に位置基準マークＭ１、Ｍ２が施された第１のマークレンズＬ２及び第２のマークレンズＬ５と、第１のマークレンズＬ２と第２のマークレンズＬ５との間に配置された、少なくとも１枚のレンズからなる中間レンズ群ＬＧ２と、を備える。中間レンズ群ＬＧ２は以下の条件式を満たす。  ０．１＜ｆｍ／ｆ＜２但し、ｆｍは、中間レンズ群の焦点距離、ｆは光学系全体の焦点距離である。【選択図】図３
2011209352.tif 000002
【特許請求の範囲】
【請求項１】
レンズの表面に位置基準マークが施された第１のマークレンズ及び第２のマークレンズと、
前記第１のマークレンズと前記第２のマークレンズとの間に配置された、少なくとも１枚のレンズからなる中間レンズ群と、
を備える光学系であって、
前記中間レンズ群が以下の条件式を満たすことを特徴とする光学系。
０．１＜ｆｍ／ｆ＜２
但し、
ｆｍ：中間レンズ群の焦点距離
ｆ：光学系全体の焦点距離
【請求項２】
固体撮像素子の撮像面に被写体を結像させる撮像光学系として用いられ、
物体側から像側に向かって順に、いずれも少なくとも１枚のレンズからなる、第１レンズ群、第２レンズ群、第３レンズ群を備え、
前記第１レンズ群が前記第１のマークレンズを含み、前記第２レンズ群が前記中間レンズ群であり、前記第３レンズ群が前記第２のマークレンズを含むことを特徴とする請求項１に記載の光学系。
【請求項３】
前記第１レンズ群及び前記第３レンズ群は前記撮像面に対して固定され、
前記第２レンズ群は光軸方向に可動であることを特徴とする請求項２に記載の光学系。
【請求項４】
前記位置基準マークはレンズセンタに設けられていることを特徴とする請求項１から３のいずれかに記載の光学系。
【請求項５】
前記位置基準マークはレンズの外周に形成されるコバ部に設けられていることを特徴とする請求項１から３のいずれかに記載の光学系。
【請求項６】
請求項１から５のいずれかに記載の光学系におけるレンズ位置調整方法であって、
前記第１のマークレンズと前記第２のマークレンズとを光軸方向に沿って観察し、両者の前記位置基準マークが一致するように位置調整を行うことを特徴とするレンズ位置調整方法。
【発明の詳細な説明】
【技術分野】
【０００１】
本発明は光学系及びレンズ位置調整方法に関し、特に、固体撮像素子の撮像面に被写体を結像させる撮像光学系に好適に用いられる技術に関する。
【背景技術】
【０００２】
近年においては、ＣＣＤ（Charge Coupled Device）型イメージセンサやＣＭＯＳ（Complementary Metal-Oxide Semiconductor） 型のイメージセンサ等の固体撮像素子を用いた小型の撮像装置が、携帯電話やＰＤＡ（Personal Digital Assistant）等の携帯端末に搭載されるようになっている。
【０００３】
このような小型の撮像装置においては、高性能化等の要求により、例えば３枚ないし５枚のレンズを備える撮像光学系が使用されるようになっている。ここで、撮像光学系は、固体撮像素子の撮像面に被写体を結像させる光学系のことである。そして、このような撮像光学系の中には、例えば特許文献１に示されるように、撮像光学系の大型化を抑制できるように、いわゆるインナーフォーカス式のフォーカス調整が行われるように構成されたものがある。
【０００４】
なお、特許文献１に示されるインナーフォーカス式の撮像光学系は、前群（レンズ群）と、後群（レンズ群）と、前群と後群の間に配置され、フォーカス調整のために光軸上で移動するフォーカス用レンズと、からなっている。
【０００５】
ところで、このように複数のレンズを備える光学系においては、レンズ間の相対位置が所望の位置関係となるように位置合わせが行われるのが一般的である。レンズ間の相対的な位置を調整する方法として、例えば特許文献２に示されるように、各レンズに位置基準マークを設ける方法が知られている。
【０００６】
なお、特許文献２における位置調整方法は次のようである。まず、各レンズの位置基準マークを特徴点として光学的に観察する。そして、加重平均等を用いた画像処理により各レンズの観察座標系内における位置を検出する。その後、各レンズの座標が合うように少なくとも一方のレンズを移動させてレンズ間の相対的な位置調整を行う。
【先行技術文献】
【特許文献】
【０００７】
【特許文献１】特開２００８−７６９５３号公報
【特許文献２】特開２００６−１４６０４３号公報
【発明の概要】
【発明が解決しようとする課題】
【０００８】
特許文献１に示すような撮像光学系を構成する場合、例えば組み立てやすさ等を考慮して、前群、後群、フォーカス用レンズを別々のメカ部品に保持させることが考えられる。このように複数のメカ部品を用いて光学系を構成する場合、部品誤差の累積によって、前群を構成するレンズと後群を構成するレンズとの相対的な位置関係に大きなずれ（光軸に対して垂直な方向のずれ）が生じやすい。このため、前群を構成するレンズと後群を構成するレンズとの相対位置のずれを補正するための位置調整を行うことが好ましい。
【０００９】
前群を構成するレンズと後群を構成するレンズとの間の位置調整の方法として、上述した位置基準マークを用いる方法が考えられるが、前群と後群との間にフォーカス用レンズが配置される場合には、次のような問題が生じる。すなわち、前群と後群との間に配置されるフォーカス用レンズの中心位置が光軸に対して垂直な方向にずれている（偏芯している）と、この偏芯が原因となってフォーカス用レンズを介して観察される位置基準マークの像が本来の位置から大きくずれて観察される場合がある。そして、このような状態で位置基準マークによる位置調整を行っても、前群を構成するレンズと後群を構成するレンズとを正しい相対位置とできない。
【００１０】
なお、フォーカス用レンズについて、前群を構成するレンズ、或いは、後群を構成するレンズとの間の相対位置を先に調整しておけば、上記のような問題の発生を抑制できる。しかしながら、光学系を構成する全てのレンズについて相対位置の調整を行うのは手間であるとともに、撮像光学系の構成を複雑化する原因ともなりかねず、必ずしも好ましい手法とは言えない。
【００１１】
そこで、本発明の目的は、位置基準マークが施された２つのレンズ間に更にレンズが配置される場合でも、簡単且つ正確にレンズ位置調整が行える光学系、及び、レンズ位置調整方法を提供することである。
【課題を解決するための手段】
【００１２】
上記目的を達成するために本発明の光学系は、レンズの表面に位置基準マークが施された第１のマークレンズ及び第２のマークレンズと、前記第１のマークレンズと前記第２のマークレンズとの間に配置された、少なくとも１枚のレンズからなる中間レンズ群と、を備える光学系であって、前記中間レンズ群が以下の条件式を満たすことを特徴としている。
０．１＜ｆｍ／ｆ＜２
但し、ｆｍは、中間レンズ群の焦点距離、ｆは光学系全体の焦点距離である。
【００１３】
本構成においては、位置基準マークが施された２つのレンズの間に配置される中間レンズ群の焦点距離ｆｍが、所定の条件式によって適切に設定されている。すなわち、条件式の上限を下回ることによって、中間レンズ群の屈折力は弱くなり過ぎることなく適度に維持され、光学系の全長を短縮化（小型化）可能となっている。また、条件式の下限を上回ることで、中間レンズ群の屈折力が強くなり過ぎず、上述した、中間レンズ群の偏芯によって生じる位置基準マークの像ずれを小さく抑えることができる。したがって、本構成によれば、位置基準マークが施された２つのレンズ間に更にレンズが配置されているにもかかわらず、簡単且つ正確にマークが施された２つのレンズ間の相対位置を調整でき、更に光学系の小型化の要求も満たすことができる。
【００１４】
なお、中間レンズ群の焦点距離ｆｍは以下の条件式を満たすのが、より好ましい。
０．５＜ｆｍ／ｆ＜１．５
但し、ｆｍは中間レンズ群の焦点距離、ｆは光学系全体の焦点距離である。
【００１５】
上記構成の光学系は、固体撮像素子の撮像面に被写体を結像させる撮像光学系として用いられ、物体側から像側に向かって順に、いずれも少なくとも１枚のレンズからなる、第１レンズ群、第２レンズ群、第３レンズ群を備え、前記第１レンズ群が前記第１のマークレンズを含み、前記第２レンズ群が前記中間レンズ群であり、前記第３レンズ群が前記第２のマークレンズを含むこととしてもよい。
【００１６】
本構成によれば、小型且つ高性能の撮像光学系であって、その組み立て時に位置基準マークが施されたレンズを用いて、レンズを正しい相対位置に素早く組み込むことが可能な撮像光学系を提供可能である。
【００１７】
上記構成の光学系において、前記第１レンズ群及び前記第３レンズ群は前記撮像面に対して固定され、前記第２レンズ群は光軸方向に可動であることとしてもよい。
【００１８】
本構成によれば、いわゆるインナーフォーカス式の撮像光学系であって、その組み立て時に位置基準マークが施されたレンズを用いて、レンズを正しい相対位置に素早く組み込むことが可能な小型の撮像光学系を提供可能である。
【００１９】
上記構成の光学系において、前記位置基準マークはレンズセンタに設けられていることとしてもよいし、前記位置基準マークはレンズの外周に形成されるコバ部に設けられていることとしてもよい。
【００２０】
一般に、位置基準マークをレンズセンタに設けるとマークの観察を容易に行い易くなる傾向がある。ただし、位置基準マークをレンズセンタに設けたくないような場合もあり得、このような場合にはコバ部（レンズの有効部の周囲に設けられる部分を指す）に位置基準マークを設けるようにしてもよい。
【００２１】
上記目的を達成するために本発明のレンズ位置調整方法は、上記構成の光学系におけるレンズ位置調整方法であって、前記第１のマークレンズと前記第２のマークレンズとを光軸方向に沿って観察し、両者の前記位置基準マークが一致するように位置調整を行うことを特徴としている。
【００２２】
本構成によれば、第１のレンズマークと第２のレンズマークとの間に配置される中間レンズ群の偏芯による影響を抑制して位置基準マークを用いたレンズ位置調整ができるために、光学系におけるレンズ位置調整を効率良く行うことが可能である。
【発明の効果】
【００２３】
本発明によると、位置調整を行うマークが施された２つのレンズ間に更にレンズが配置されているにもかかわらず、２つのレンズを簡単且つ正確に位置調整が行える。また、そのような構成を得るに当って、光学系の小型化の要求も満たせる。
【図面の簡単な説明】
【００２４】
【図１】本実施形態の撮像光学系を備える光学ユニットの構成を示す概略斜視図
【図２】本実施形態の撮像光学系を備える光学ユニットの構成を示す概略分解斜視図
【図３】本実施形態の撮像光学系を備える光学ユニットの概略断面図
【図４】本実施形態の撮像光学系の組み立て手順を示すフローチャート
【図５】本実施形態の撮像光学系の組み立て途中の状態（第１の状態）を示す概略断面図
【図６】本実施形態の撮像光学系の組み立て途中の状態（第２の状態）を示す概略断面図
【図７】本実施形態の撮像光学系の組み立て途中の状態を示す概略断面図で、第１レンズの調芯工程を説明するための図
【図８】本実施形態の第１のレンズホルダーを上から見た場合の概略平面図で、第１レンズがホルダー内に挿入された状態を示す図
【図９】実施例１の撮像光学系の構成図
【図１０】実施例２の撮像光学系の構成図
【図１１】実施例３の撮像光学系の構成図
【図１２】実施例４の撮像光学系の構成図
【図１３】実施例５の撮像光学系の構成図
【図１４】実施例６の撮像光学系の構成図
【図１５】実施例７の撮像光学系の構成図
【図１６】実施例８の撮像光学系の構成図
【図１７】実施例１の無限遠物体距離時の収差図
【図１８】実施例２の無限遠物体距離時の収差図
【図１９】実施例３の無限遠物体距離時の収差図
【図２０】実施例４の無限遠物体距離時の収差図
【図２１】実施例５の無限遠物体距離時の収差図
【図２２】実施例６の無限遠物体距離時の収差図
【図２３】実施例７の無限遠物体距離時の収差図
【図２４】実施例８の無限遠物体距離時の収差図
【発明を実施するための形態】
【００２５】
以下、本発明の光学系及びレンズ位置調整方法の実施形態について、図面を参照しながら詳細に説明する。なお、以下においては、本発明が、固体撮像素子の撮像面に被写体を結像させる単焦点の撮像光学系に適用される場合を例に挙げて説明する。
【００２６】
（撮像光学系の構成）
まず、本実施形態の撮像光学系の構成について、図１から図３を参照しながら説明する。図１は、本実施形態の撮像光学系を備える光学ユニットの構成を示す概略斜視図である。図２は、本実施形態の撮像光学系を備える光学ユニットの構成を示す概略分解斜視図である。図３は、本実施形態の撮像光学系を備える光学ユニットの概略断面図である。
【００２７】
本実施形態の撮像光学系１（図１及び図３参照）を備える光学ユニット１０は、図２に示すように、大きくは、１群ユニットＧ１と、２群ユニットＧ２と、３群ユニットＧ３と、アクチュエータユニットＡ１と、を備える構成となっている。
【００２８】
１群ユニットＧ１は、物体側から像側に向かって順に、ドーナツ型の円板部品からなる第１の遮光板１１、第１レンズＬ１、ドーナツ型の円板部品からなる第２の遮光板１２、及び第２レンズＬ２を備え、これらが第１のレンズホルダー（保持部材）１３に保持される構成となっている。すなわち、本実施形態においては、第１レンズＬ１及び第２レンズＬ２によって第１レンズ群ＬＧ１が形成されている。なお、平面視略円板状の有底の皿型部材である第１のレンズホルダー１３は、厚み方向に第１レンズ群ＬＧ１を保持するレンズ保持空間１３ａを有する。また、第１のレンズホルダー１３の底部には光を通過させるための開口１３ｂが形成されている。
【００２９】
この１群ユニットＧ１（第１レンズ群ＬＧ１）は、光学ユニット１０に取り付けられる固体撮像素子７０（例えばＣＣＤ型のイメージセンサやＣＭＯＳ型のイメージセンサ等；図３に破線で示す）の撮像面７０ａに対して動かないように固定状態とされる。第１レンズＬ１は正レンズ、第２レンズは負レンズとなっており、第１レンズＬ１及び第２レンズＬ２で構成される第１レンズ群ＬＧ１は全体として正の屈折力を有している。
【００３０】
なお、第１レンズ群ＬＧ１（１群ユニットＧ１内に設けられるレンズ群）を構成するレンズの枚数や屈折力（パワー）は一例であり、必要に応じて適宜変更して構わない。ただし、最物体側のレンズは正レンズとし、第１レンズ群ＬＧ１（レンズ１枚の場合もあり得る）は全体として正の屈折力を有するのが好ましい。また、球面収差と軸上色収差の補正を効果的に行うことを可能とすべく、第１レンズ群ＬＧ１には、少なくとも１枚の正レンズと少なくとも１枚の負レンズが含まれるのが好ましい。
【００３１】
第１レンズ群ＬＧ１に含まれる第２レンズＬ２の物体側表面の略中心部分には、図３に拡大図（破線円内の図）で示すように位置基準マークＭ１が形成されている。すなわち、第２レンズＬ２は、位置基準マークが施されたマークレンズとなっており、本発明の第１のマークレンズの実施形態である。この位置基準マークＭ１は、本実施形態においてはレンズ表面に窪み（凹部）を設けることによって得ている。このような位置基準マークＭ１は、例えばレンズ表面を切削加工して得てもよいし、レンズを製造する金型に突起部を設けておいて得るようにしてもよい。
【００３２】
なお、位置基準マークＭ１の構成は本実施形態の構成に限定される趣旨ではなく、例えばレンズ表面に凸部を設けることによって得てもよいし、また、インクジェット等を用いて得たドット等であってもよい。また、本実施形態では、位置基準マークＭ１を物体側表面に設ける構成としているが、像側表面に設ける構成としても構わない。また、位置基準マークＭ１は、マーカーとしての機能を発揮する範囲で、撮像光学系１の光学性能に影響を与えないように、なるべく小さく形成するのが好ましい。
【００３３】
２群ユニットＧ２は、物体側から像側に向かって順に、第３レンズＬ３、ドーナツ型の円板部品からなる第３の遮光板２１、第４レンズＬ４を備え、これらが第２のレンズホルダー（保持部材）２２に保持される構成となっている。すなわち、本実施形態においては、第３レンズＬ３及び第４レンズＬ４によって第２レンズ群ＬＧ２が形成されている。なお、この第２レンズ群ＬＧ２が本発明の中間レンズ群の実施形態に該当する。また、第２レンズホルダー２２は、円筒状の貫通空間２２ａを有し、この貫通空間２２ａ内に第２レンズ群ＬＧ２は保持される。
【００３４】
この２群ユニットＧ２（第２レンズ群ＬＧ２）は、詳細は後述するアクチュエータユニットＡ１によって光軸方向（図３の符号ＡＸが光軸である）に移動可能となっている。すなわち、本実施形態の撮像光学系１は、いわゆるインナーフォーカス方式を採用している。第２レンズ群ＬＧ２（２群ユニットＧ２内に設けられるレンズ群）は、全体して正の屈折力を有するように構成されている。
【００３５】
なお、第２レンズ群ＬＧ２を構成するレンズの枚数は、本実施形態の構成（２枚）に限らず、１枚或いは３枚以上としてもよい。第２レンズ群ＬＧ２を２枚で構成する場合、例えば、第３レンズＬ３及び第４レンズＬ４をいずれも正レンズとしたり、第３レンズＬ３を負レンズ、第４レンズＬ４を正レンズとしたりしてよい。
【００３６】
３群ユニットＧ３は、物体側から像側に向かって順に、第５レンズＬ５、例えばＩＲカットフィルタや光学的ローパスフィルタ等の平行平板からなるフィルタ部材４２を備え、これらが第１のフレーム（保持部材）４１によって保持される構成となっている。第１のフレーム４１は、厚み方向に貫通した空間４１ａを有し、光が厚み方向に通過できるようになっている。この３群ユニットＧ３（第５レンズＬ３からなる第３レンズ群ＬＧ３）は、１群ユニットＧ１と同様に、光学ユニット１０に取り付けられる固体撮像素子７０の撮像面７０ａに対して動かないように固定状態とされる。
【００３７】
なお、本実施形態では、負レンズである第５レンズＬ５のみによって第３レンズ群ＬＧ３が形成されているが、これに限られる趣旨ではない。すなわち、第３レンズ群ＬＧ３は、複数枚のレンズで構成されても構わないし、また、全体として正の屈折力でも負の屈折力でも構わない。ただし、第３レンズ群ＬＧ３には負レンズが含まれるのが好ましく、これにより、いわゆるテレフォトタイプの構成が得られ、撮像光学系１０の全長を短くできる（小型化・低背化を図れる）。
【００３８】
第３レンズ群ＬＧ３に含まれる第５レンズＬ５の物体側表面の略中心部分には、図３に拡大図（破線円内の図）で示すように位置基準マークＭ２が形成されている。すなわち、第５レンズＬ５は、位置基準マークが施されたマークレンズとなっており、本発明の第２のマークレンズの実施形態である。第５レンズＬ５に設ける位置基準マークＭ２は、本実施形態においてはレンズ表面に窪み（凹部）を設けることによって得ている。このような位置基準マークＭ２の形成方法及び留意点は、第２レンズＬ２に設けた位置基準マークＭ１と同様である。また、第５レンズＬ５に設ける位置基準マークＭ２についても、第２レンズＬ２に設ける位置基準マークＭ１の場合と同様に、別の構成（凸部やドット等）に変更しても構わない。
【００３９】
アクチュエータユニットＡ１は、撮像光学系１をインナーフォーカス方式とすべく、２群ユニットＧ２（第２レンズ群ＬＧ２）を光軸方向に移動可能とする駆動機構である。このアクチュエータユニットＡ１は、ＳＩＤＭ（Smooth Impact Drive Mechanism；登録商標）アクチュエータ３１と称される、小型化に好適な超音波リニアアクチュエータを用いて構成されている。なお、このアクチュエータについては、例えば本出願人が先に特開２００１−２６８９５１号公報などで提案している。
【００４０】
ＳＩＤＭアクチュエータ３１は、図３に示すように、軸方向が光軸方向と平行になるように配置されるＳＩＤＭ軸３１ａと、ＳＩＤＭ軸３１ａの一端に接着固定され、ＳＩＤＭ軸３１ａの軸方向に伸縮する圧電素子３１ｂと、圧電素子３１ｂのＳＩＤＭ軸３１ａが接着固定される側と反対の端部に接着固定される錘３１ｃと、からなっている。ＳＩＤＭアクチュエータ３１には、図２に示すように、圧電素子３１ｂを駆動するためのリード線３２と端子３３とが半田付けにて取り付けられている。
【００４１】
ＳＩＤＭアクチュエータ３１を駆動させる場合には、端子３３及びリード線３２を介して圧電素子３１ｂに駆動信号を与える。駆動信号が与えられると圧電素子３１ｂは伸縮し、この伸縮によってＳＩＤＭ軸３１ａが軸方向に振動する。この時の振動波形を適切に制御することにより、ＳＩＤＭ軸３１ａに摩擦係合している（この係合は板バネ２３によって実現されている）第２のレンズホルダー２２を目的の方向（図３の上方向或いは下方向）にのみ摺動させることができる。このため、ＳＩＤＭアクチュエータ３１によって、第２レンズ群ＬＧ２の光軸方向への移動が可能となる。なお、錘３１ｃは、圧電素子３１ｂの伸縮による変位をＳＩＤＭ軸３１ａ側にのみ発生させる目的で設けられている。
【００４２】
以上の１群ユニットＧ１、２群ユニットＧ２、３群ユニットＧ３、及びアクチュエータユニットＡ１を、第２のフレーム５０及びカバー６０と組み合せて組み立てることにより、本実施形態の単焦点・インナーフォーカス方式の撮像光学系１（光学ユニット１０）が得られる。撮像光学系１（光学ユニット１０）の組み立ての詳細は後述する。
【００４３】
なお、本実施形態においては、撮像光学系１を構成する５つのレンズＬ１〜Ｌ５はいずれもプラスチック材料で形成されている。勿論、これらのレンズＬ１〜Ｌ５をガラスによって構成してもよい。ただし、本実施形態の撮像光学系１においては、各レンズＬ１〜Ｌ５の曲率半径や外径がかなり小さくなってガラスレンズとすると大量生産に不向きであること等を考慮して、各レンズをプラスチック材料で形成している。
【００４４】
ここで、撮像光学系１を構成するレンズをプラスチック材料で形成する場合の留意点ついて述べておく。プラスチック材料は温度変化時の屈折率変化が大きいため、本実施形態のように全てのレンズをプラスチックレンズで構成すると、周囲温度が変化した際に、撮像光学系１の像点位置が変動してしまうという問題をかかえることになる。しかし最近では、プラスチック材料中に無機微粒子を混合させると、プラスチック材料が受ける温度変化の影響を小さくできることが分かってきた。
【００４５】
詳細に説明すると、一般に透明なプラスチック材料に微粒子を混合させると、光の散乱が生じて透過率が低下するため、光学材料として使用することは困難であったが、微粒子の大きさを透過光束の波長より小さくすることにより、散乱が実質的に発生しないようにすることができる。また、プラスチック材料は温度が上昇することにより屈折率が低下してしまうが、無機粒子は温度が上昇すると屈折率が上昇する。そこで、これらの温度依存性を利用して互いに打ち消し合うように作用させることにより、屈折率変化がほとんど生じないようにすることができる。具体的には、母材となるプラスチック材料に最大長が２０ナノメートル以下の無機粒子を分散させることにより、屈折率の温度依存性のきわめて低いプラスチック材料とすることができる。例えば、アクリル樹脂に酸化ニオブ（Ｎｂ2Ｏ5）の微粒子を分散させることにより、温度変化による屈折率変化を小さくすることができる。
【００４６】
撮像光学系１においては、比較的屈折力の大きな正レンズ（例えば第１レンズＬ１）又はすべてのレンズに、このような無機粒子を分散させたプラスチック材料を用いることにより、撮像光学系１の温度変化時の像点位置変動を小さく抑えることが可能となる。
【００４７】
ところで、本実施形態においては、撮像光学系１は次の条件式（１）を満たすように構成されている。
０．１＜ｆｇ２／ｆ＜２        （１）
但し、ｆｇ２は第２レンズ群ＬＧ２の焦点距離、ｆは撮像光学系１全体の焦点距離である。
【００４８】
また、本実施形態においては、望ましい形態として撮像光学系１は次の条件式（２）も満たすように構成されている。
０．１＜ｆ１／ｆｇ２＜２      （２）
但し、ｆ１は第１レンズＬ１（最物体側の正レンズ）の焦点距離である。
【００４９】
このように条件式（１）、（２）を満足するように構成するのは、撮像光学系１を構成するレンズＬ１〜Ｌ５に生じる偏芯（光軸ＡＸと垂直な方向のずれ）を補正する（良好な光学特性を得る）ための調整作業を行い易くするための工夫である。この詳細については、以下に述べる撮像光学系１（光学ユニット１０）の組み立て方法の中で説明する。
【００５０】
（撮像光学系の組み立て方法）
次に、本発明のレンズ位置調整方法を含む、撮像光学系１（光学ユニット１０）の組み立て方法について詳細に説明する。図４は、本実施形態の撮像光学系の組み立て手順を示すフローチャートである。以下、この図４を参照しながら撮像光学系１の組み立てについて説明する。
【００５１】
まず、１群ユニットＧ１の組み立てが行われる（ステップＳ１）。詳細には、第２レンズＬ２及び第２の遮光板１２が、この順番で第１のレンズホルダー１３に組み込まれる。この際、第２のレンズＬ２は第１のレンズホルダー１３に接着固定される。なお、この段階では、第１レンズＬ１及び第１の遮光板１１は、第１のレンズホルダー１３には組み込まれない。
【００５２】
次に、２群ユニットＧ２の組み立てが行われる（ステップＳ２）。詳細には、第４レンズＬ４、第３の遮光板２１、及び第３レンズＬ３が、この順番で第２のレンズホルダー２２に組み込まれる。この際、第３レンズＬ３と第２のレンズホルダー２２との間に接着剤８０を塗付することにより、第４レンズＬ４、第３の遮光板２１、及び第３レンズＬ３がまとめて第２のレンズホルダー２２に固定される。
【００５３】
次に、３群ユニットＧ３の組み立てが行われる（ステップＳ３）。詳細には、第５レンズＬ５及びフィルタ部材４２が第１のフレーム４１に組み込まれる。第５レンズＬ５とフィルタ部材４２とは別々の方向（例えば図３において、上からと下からが該当）から第１のフレーム４１に組み込まれる。これら組み込まれた部材は、それぞれ第１のフレーム４１に接着剤８０にて接着固定される。
【００５４】
次に、アクチュエータユニットＡ１の組み立てが行われる（ステップＳ４）。詳細には、ＳＩＤＭ軸３１ａの一端と圧電素子３１ｂの一端の接着固定、圧電素子３１ｂの他端と錘３１ｃの一端との接着固定が行われ、これによりＳＩＤＭアクチュエータ３１が形成される。圧電素子３１ｂに設けられる一対の電極のそれぞれにリード線３２の一端が半田付けされ、また、各リード線３２の他端に端子３３が半田付けされる。
【００５５】
なお、ステップＳ１〜Ｓ４の組み立て工程は、ここで示した順序に限られる趣旨ではなく、異なる順番で行ってもよいし、ステップＳ１〜Ｓ４は同時に並行して行われるようにしてもよい。
【００５６】
次に、アクチュエータユニットＡ１が３群ユニットＧ３に取り付けられる（ステップＳ５）。詳細には、第１のフレーム４１に搭載される第５レンズＬ５の周囲を囲むようにリード線３２が這い回され、端子３２が第１のフレーム４１の所定の箇所（図１参照）にクリップ方式で略固定される。なお、この時点では、ＳＩＤＭアクチュエータ３１は、第１のフレーム４１のアクチュエータ支持部４１ｂ（平面視略矩形状に設けられる第１のフレーム４１の４つの角部のうちの１つの近傍に設けられる）に、その軸方向が光軸ＡＸと略平行となるように立てられた状態で配置されるが、未だ固定はされない。
【００５７】
次に、２群ユニットＧ２がアクチュエータユニットＡ１に係合される（ステップＳ６）。詳細には、２群ユニットＧ２は、それを構成する第２のレンズホルダー２２の１つの角部付近（アクチュエータ支持部４１ｂの略上方にある角部近傍）と、略くの字状に設けられる板バネ部材２３の一辺の先端部とで、ＳＩＤＭ軸３２ａを挟むように配置される。ここで、板バネ部材２３は、その略中央部に当る略くの字の屈曲点が第２のレンズホルダー２２に設けられるボス２２ｂ（図２参照）に揺動可能に取り付けられとともに、略くの字の他辺の先端部が第２のレンズホルダー２２に当接するように取り付けられる。これにより、２群ユニットＧ２は、ＳＩＤＭ軸３１ａに所定の摩擦力で係合され、その軸方向に移動可能な状態となる。
【００５８】
次に、第２のフレーム５０が第１のフレーム４１に取り付けられる（ステップＳ７）。詳細には、箱形状（ただし、上面に光を通過させるための開口５０ａが設けられている）の第２のフレーム５０が、アクチュエータユニットＡ１及び２群ユニットＧ２に被せられるような姿勢とされて第１のフレーム４１に取り付けられる。第１のフレーム４１と第２のフレーム５０との間にはスナップフィット機構が設けられており、接着剤を用いることなく両者の光軸方向の相対位置が固定される。光軸ＡＸと垂直な方向の相対位置は位置決めピンと、それに係合する位置決め穴によって固定される。また、この第２のフレーム５０の取り付けによって、アクチュエータユニットＡ１の端子３３は第１のフレーム４１と第２のフレーム５０との間に挟みこまれて完全に固定される。このステップＳ７の終了時点の状態（第１の状態）を図５（断面図）に示す。
【００５９】
なお、第２のフレーム５０を第１のフレーム４１に取り付けるにあたって、アクチュエータユニットＡ１のＳＩＤＭ軸３１ａの先端は、第２のフレーム５０の上面に設けられる嵌合孔５０ｂに嵌合した状態とされる。この時点では錘３１ｃの接着固定は行われていない。
【００６０】
次に、第２レンズ群ＬＧ２（２群ユニットＧ２）の傾きの調整が行われる（ステップＳ８）。詳細には、錘３１ｃの光軸ＡＸと垂直な平面内の位置を調整することによって第２レンズ群ＬＧ２の傾き調整が行われる。更に具体的には、例えば、固体撮像素子７０の撮像面７０ａ（この段階では固体撮像素子７０は取り付けられていないため、取り付けられた場合を想定した話である）と平行となるように配置される基準面と、第３レンズＬ３の有効面より外側のコバ面とが平行となるように、例えばオートコリメータ等を用いて傾き調整が行われる。この傾き調整が行われた段階で、錘３１ｃが接着剤８０にて第１のフレーム４１に接着固定される。
【００６１】
次に、１群ユニットＧ１（第１レンズＬ１は組み込まれていない）が第２のフレーム５０に取り付けられる（ステップＳ９）。詳細には、１群ユニットＧ１を構成する第１のレンズホルダー１３の位置を、第２レンズＬ２に施された位置基準マークＭ１と第５レンズＬ５に施された位置基準マークＭ２とが一致するように調整（本発明のレンズ位置調整に該当）した上で、第１のレンズホルダー１３を第２のフレーム５０に接着固定する。このステップＳ９の終了時点の状態（第２の状態）を図６（断面図）に示す。
【００６２】
位置基準マークＭ１と位置基準マークＭ２とが一致するように行うレンズ位置調整は、例えば光軸方向に沿って２つのマークＭ１、Ｍ２を同時に観察しながら行ってもよい。また、例えば、２つの位置基準マークＭ１、Ｍ２を光軸方向に沿って別々に観察することによって各マークＭ１、Ｍ２の観察座標系内の位置を別々に得て、得られた座標位置に基づいて両者の位置が一致するように第２レンズＬ５の位置（第１のレンズホルダー１３の位置）を動かすようにしてもよい。
【００６３】
ところで、上述のように、本実施形態の撮像光学系１においては、第１レンズ群ＬＧ１、第２レンズ群ＬＧ２、第３レンズ群ＬＧ３は別々のメカ部品に搭載される構成となっている。このような構成の場合、部品誤差の累積によって、第１レンズ群ＬＧ１と第３レンズ群ＬＧ３との相対的な位置関係に大きなずれ（光軸ＡＸに対して垂直な方向のずれ）が生じ易い。そして、このような位置ずれは、最終的に行われる撮像光学系１の光学調整（固体撮像素子を用いた光学調整）の際に良好な光学特性を得難くする場合がある。このため、部品誤差の累積による上記相対位置のずれは解消することが望まれる。このような理由から、本実施形態においては、位置基準マークＭ１、Ｍ２を用いて第２レンズＬ２と第５レンズＬ５とが正しい相対位置となるようにレンズ位置調整を行っている。
【００６４】
ここで、第２レンズＬ２と第５レンズＬ５との間に第２レンズ群ＬＧ２が存在するような本実施形態の構成の場合には、第２レンズ群ＬＧ２が偏芯していると、第２レンズ群ＬＧ２を介して観察される位置基準マークＭ２の像（本実施形態では虚像であるが、異なる構成では実像となることもある）が本来の位置から大きくずれて観察される場合がある。そして、このような状態で位置基準マークＭ１、Ｍ２を用いたレンズ位置調整を行っても、レンズを正しい相対位置とはできない。このため、本実施形態では、第２レンズ群ＬＧ２が偏芯状態にあっても、その影響をほとんど受けることがないように、撮像光学系１が上記条件式（１）を満足するように構成しているのである。
【００６５】
詳細には、条件式（１）の下限を上回るように構成することで、第２レンズ群ＬＧ２の屈折力が強くなり過ぎず、上述した、第２レンズ群ＬＧ２の偏芯によって生じる位置基準マークＭ２の像ずれを小さく抑えることができるようにしている。なお、条件式（１）の上限を下回るように構成しているのは、第２レンズ群ＬＧ２の屈折力は弱くなり過ぎることなく適度に維持することで、撮像光学系１の全長の短縮化を図る趣旨である。
【００６６】
また、撮像光学系１は以下の条件式（１）´を満足するように構成するのが、より好ましい。
０．５＜ｆｇ２／ｆ＜１．５      （１）´
【００６７】
図４に戻って、ステップＳ９が完了すると、第１レンズＬ１（最物体側に配置される正レンズ）が第１のレンズホルダー１３に固定される（ステップＳ１０）。なお、第１レンズＬ１は、第１のレンズホルダー１３に固定される前に光軸ＡＸと垂直な方向に動かされて、光学調整のためにその位置が調整される（調芯工程）。以下、この調芯工程について、図７を参照しながら説明する。図７は、本実施形態の撮像光学系の組み立て途中の状態を示す概略断面図で、第１レンズの調芯工程を説明するための図である。
【００６８】
調芯工程に先立って、図７に示すように、第１のフレーム４１の背後に固体撮像素子７０が配置される。この固体撮像素子７０は、光学調整用に準備された調整用のものでもよいし、製品として用いられるものでもよい。製品として用いられるものである場合には、この段階で、固体撮像素子７０を第１のフレーム４１に固着してもよい。
【００６９】
固体撮像素子７０を配置すると、治具に保持された第１レンズＬ１が、第２レンズＬ２及び第２の遮光板１２が組み込まれた第１のレンズホルダー１３のレンズ保持空間１３ａ（図２参照）内に、先に組み込まれている部材に押し付けられるように挿入される。そして、固体撮像素子７０によって得られる光学特性を監視しながら、第１レンズＬ１を光軸ＡＸと垂直な方向に動かし、好ましい光学特性が得られるように調芯が行なわれる。好ましい光学特性を得られる位置を見つけたら、紫外線照射により接着剤８０を硬化して、第１レンズＬ１の第１のレンズホルダー１３内への固定が行われる。
【００７０】
ここで、図８を参照して、第１のレンズホルダー１３の構成について追加説明しておく。なお、図８は、本実施形態の第１のレンズホルダーを上から見た場合の概略平面図で、第１レンズがホルダー内（レンズ保持空間１３ａ（図２参照））に挿入された状態を示している。
【００７１】
図８に示すように、第１のレンズホルダー１３の外周側には、第１レンズＬ１を側面から接着するための接着剤を充填する接着剤充填部１３ｃが円周方向に等間隔で３箇所設けられている。また、接着剤充填部１３ｃを挟むように、空間部１３ｄが円周方向に等間隔で３箇所設けられている。この空間部１３ｄにより、レンズ保持空間１３ａ内に挿入された第１レンズＬ１の治具による保持が可能となっている。また、レンズ保持空間１３ａの直径（光軸ＡＸと垂直な方向のサイズ）は、第１レンズＬ１の直径より大き目に形成されている。このために、レンズ保持空間１３ａ内に第１レンズＬ１を挿入した状態で隙間ＳＰが形成され、第１レンズＬ１の光軸ＡＸと垂直な方向への移動が可能となっている。
【００７２】
ところで、上述のように、本実施形態の撮像光学系１ではインナーフォーカス方式を採用している。インナーフォーカス方式を採用した撮像光学系１においては、フォーカス調整のために光軸方向に移動する機構を有することになるためにメカ部品が増加し、レンズの中心位置が光軸と垂直な方向にずれる偏芯が生じ易い。そして、小型化・高性能化の要求を満たすように構成される撮像光学系においては、製造時に発生した偏芯による悪影響（例えば片ボケ）を受け易いといった問題がある。このため、撮像光学系１の組み立て時に、偏芯の影響を補正すべく調芯（光学調整）を行うようにしている。なお、上記レンズ位置調整（ステップＳ９参照）によってレンズの相対配置の補正は行っているが、それだけでは必ずしも万全とは言えず、安定した品質を得るために調芯を行うのが好ましい。
【００７３】
調芯は複数のレンズを移動させて行うことも可能であるが、効率良く調芯を行うために、本実施形態では第１レンズＬ１（最物体側に配置される正レンズ）のみを移動させる構成としている。そして、調芯を正確且つ効率良く行えること等を考慮して、撮像光学系１が上記条件式（２）を満足するように構成しているのである。
【００７４】
詳細には、条件式（２）の下限を上回るように構成することで、第２レンズ群ＬＧ２に対する第１レンズＬ１の焦点距離が短くなりすぎるのを防止している。これにより、第１レンズＬ１の移動（調芯のための移動）に対する光学性能の変化の感度が大きくなりすぎて、調整精度が低下するのを防止可能となっている。また、条件式（２）の上限を下回ることで、第２レンズ群ＬＧ２に対する第１レンズＬ１の焦点が長くなりすぎるのを防止している。これにより、第２レンズ群ＬＧ２の偏芯を補正するため（調芯のため）に第１レンズＬ１を動かす量が大きくなりすぎるのを防止でき、調整作業を素早く行える。また、条件式（２）の上限を下回るようにすることで、撮像光学系１がレンズの径方向（光軸方向と垂直な方向）に大型化することも抑制可能となっている。
【００７５】
なお、この第１レンズＬ１の取り付けの際（調芯工程を行う際）に、第１レンズＬ１の光軸方向の位置調整を併せて行ってもよい。これにより、片ボケのみならず、像面湾曲についても性能向上を図ることが可能である。また、第１レンズＬ１を取り付けた後に（調芯工程後に）、第１のレンズホルダー１３（すなわち、第１レンズ群ＬＧ１）を光軸方向に移動して、片ボケのみならず、像面湾曲の向上を図るようにしてもよい。なお、この場合には、ステップＳ９において、第１のレンズホルダー１３の接着固定は行わないようにし、第１のレンズホルダー１３を調整治具で保持した状態のままとする必要がある。
【００７６】
再び図４に戻って、ステップＳ１０が完了すると、第１の遮光板１１が第１レンズＬ１に貼り付けられる。また、電磁波漏れ対策等を兼ねてカバー６０が第１のフレーム４１に上から被せられる（以上ステップＳ１１）。カバー６０と第１のフレーム４１との間にはスナップフィット機構が設けられており、カバー６０は接着固定されることなく第１のフレーム４１に取り付けられる。
【００７７】
以上により、本実施形態の撮像光学系１（光学ユニット１０）が得られる。次に、撮像光学系１の好適な実施例について示す。
【００７８】
（実施例）
以下、撮像光学系１の好適な実施例について、コンストラクションデータ等を挙げて具体的に説明する。実施例１〜８（ＥＸ１〜８）の撮像光学系の構成（レンズ構成）について、図９〜図１６に示す。図９〜図１６は、撮像光学系１が無限遠合焦状態にある場合の光学断面図である。また、無限遠から最近接距離へのフォーカシングにおけるフォーカス群（第２レンズ群ＬＧ２）の移動を、矢印ｍＦで示している。
【００７９】
なお、実施例１〜８については第２レンズＬ２に位置基準マークＭ１が、実施例１〜５、８（レンズ枚数５枚）については第５レンズＬ５に位置基準マークＭ２が、実施例６、７（レンズ枚数４枚）については第４レンズＬ４に位置基準マークＭ２が、レンズ表面に施されるが、これらのマークは光学性能への影響がほぼ無視できるように設けられるものであるために、レンズの構成についてマークの存在は考慮に入れていない。
【００８０】
各実施例のコンストラクションデータでは、面データとして、左側の欄から順に、面番号，曲率半径ｒ（ｍｍ），軸上面間隔ｄ（ｍｍ），フォーカス時の可変間隔に関しては最近接物体距離時（物体距離：１０ｃｍ）の軸上面間隔ｄｍ（ｍｍ），ｄ線（波長：５８７．５６ｎｍ）に関する屈折率ｎｄ，ｄ線に関するアッベ数ｖｄ，有効半径（ｍｍ）を示す。面番号に＊が付された面は非球面であり、その面形状は面頂点を原点とするローカルな直交座標系（Ｘ，Ｙ，Ｚ）を用いた以下の式(AS)で定義される。非球面データとして、非球面係数等を示す。なお、各実施例の非球面データにおいて表記の無い項の係数は０であり、すべてのデータに関してＥ−ｎ＝×１０-nである。
【００８１】
【数１】
2011209352.tif 000003
…(AS)
【００８２】
ただし、
ｈ：Ｘ軸（光軸ＡＸ）に対して垂直な方向の高さ（ｈ2＝Ｙ2＋Ｚ2）、
Ｘ：高さｈの位置での光軸ＡＸ方向のサグ量（面頂点基準）、
Ｒ：基準曲率半径（曲率半径ｒに相当する。）、
Ｋ：円錐定数、
Ａｉ：ｉ次の非球面係数、
である。
【００８３】
各種データとして、全系（光学系全体）の焦点距離（ｆ，ｍｍ），Ｆナンバー（Ｆｎｏ．），半画角（ω，°），固体撮像素子の撮像面７０ａの対角線長（２Ｙ’，ｍｍ；Ｙ’：最大像高），バックフォーカス（ｆＢ，ｍｍ），入射瞳位置（ＥＮＴＰ，第１面から入射瞳位置までの距離，ｍｍ），射出瞳位置（ＥＸＴＰ，撮像面７０ａから射出瞳位置までの距離，ｍｍ），前側主点位置（Ｈ１，第１面から前側主点位置までの距離，ｍｍ），後側主点位置（Ｈ２，最終面から後側主点位置までの距離，ｍｍ）を示す。全系の焦点距離及びＦナンバーについては、無限遠物体距離時（物体距離：∞）と最近接物体距離時（物体距離：１０ｃｍ）の両方のフォーカス状態での値を示している。バックフォーカスｆＢは、平行平板ＰＴ（フィルタ部材４２に同じ）の像側面から像面ＩＭ（撮像面７０ａに同じ）までの距離を表すものとする。さらに、単レンズデータ及びレンズ群データとして各レンズと各レンズ群の焦点距離を示す。また、各条件式（条件式（１）、（２））に対応する実施例の値を表１に示す。
【００８４】
図１７〜図２４は、実施例１〜８（ＥＸ１〜８）の無限遠物体距離時（物体距離：∞）の収差図である。図１７〜図２４のそれぞれにおいて、（Ａ）は球面収差図、（Ｂ）は非点収差図、（Ｃ）は歪曲収差図である。球面収差図は、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。なお、像高ＩＭＧ  ＨＴの最大値は、像面ＩＭにおける最大像高Ｙ’（固体撮像素子７０の撮像面７０ａの対角長の半分）に相当する。
【００８５】
実施例１の撮像光学系１（図９参照）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の正メニスカスレンズであり、第４レンズＬ４は像側に凸の正メニスカスレンズであり、第５レンズＬ５は像側に凹の負メニスカスレンズである。なお、第１レンズＬ１及び第２レンズＬ３が全体として正の屈折力を有する第１レンズ群ＬＧ１を、第３レンズＬ３及び第４レンズＬ４が全体として正の屈折力を有する第２レンズ群ＬＧ２を、第５レンズＬ５が全体として負の屈折力を有する第３レンズ群ＬＧ３を構成している。
【００８６】
実施例２の撮像光学系１（図１０参照）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の正メニスカスレンズであり、第４レンズＬ４は像側に凸の正メニスカスレンズであり、第５レンズＬ５は像側に凹の負メニスカスレンズである。なお、第１レンズＬ１及び第２レンズＬ３が全体として正の屈折力を有する第１レンズ群ＬＧ１を、第３レンズＬ３及び第４レンズＬ４が全体として正の屈折力を有する第２レンズ群ＬＧ２を、第５レンズＬ５が全体として負の屈折力を有する第３レンズ群ＬＧ３を構成している。
【００８７】
実施例３の撮像光学系１（図１１参照）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は物体側に凸の正メニスカスレンズであり、第４レンズＬ４は像側に凸の正メニスカスレンズであり、第５レンズＬ５は像側に凹の負メニスカスレンズである。なお、第１レンズＬ１及び第２レンズＬ３が全体として正の屈折力を有する第１レンズ群ＬＧ１を、第３レンズＬ３及び第４レンズＬ４が全体として正の屈折力を有する第２レンズ群ＬＧ２を、第５レンズＬ５が全体として負の屈折力を有する第３レンズ群ＬＧ３を構成している。
【００８８】
実施例４の撮像光学系１（図１２参照）は、物体側から順に、正の第１レンズＬ１と、開口絞りＳＴと、負の第２レンズＬ２と、負の第３レンズＬ３と、正の第４レンズＬ４と、負の第５レンズＬ５と、から構成されており、レンズ面は全て非球面である。近軸の面形状で各レンズを見た場合、第１レンズＬ１は物体側に凸の正メニスカスレンズであり、第２レンズＬ２は像側に凹の負メニスカスレンズであり、第３レンズＬ３は像側に凹の負メニスカスレンズであり、第４レンズＬ４は像側に凸の正メニスカスレンズであり、第５レンズＬ５は像側に凹の負メニスカスレンズである。なお、第１レンズＬ１及び第２レンズＬ３が全体として正の屈折力を有する第１レンズ群ＬＧ１を、第３レンズＬ３及び第４レンズＬ４が全体として正の屈折力を有する第２レンズ群ＬＧ２を、第５レンズＬ５が全体として負の屈折力を有する第３レンズ群ＬＧ３を構成している。
【００８９】
実施例５の撮像光学系１（図１３参照）は、物体側から順に、正の第１レンズＬ１と、開口絞りＳＴと、負の第２レンズＬ２と、負の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は像側に凹の負メニスカスレンズであり、第４レンズＬ４は両凸の正レンズであり、第５レンズＬ５は像側に凹の負メニスカスレンズである。なお、第１レンズＬ１及び第２レンズＬ３が全体として正の屈折力を有する第１レンズ群ＬＧ１を、第３レンズＬ３及び第４レンズＬ４が全体として正の屈折力を有する第２レンズ群ＬＧ２を、第５レンズＬ５が全体として負の屈折力を有する第３レンズ群ＬＧ３を構成している。
【００９０】
実施例６の撮像光学系１（図１４参照）は、物体側から順に、開口絞りＳＴと、正の第１レンズＬ１と、負の第２レンズＬ２と、正の第３レンズＬ３と、負の第４レンズＬ４と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は両凸の正レンズであり、第４レンズＬ４は像側に凹の負メニスカスレンズである。なお、第１レンズＬ１及び第２レンズＬ３が全体として正の屈折力を有する第１レンズ群ＬＧ１を、第３レンズＬ３が全体として正の屈折力を有する第２レンズ群ＬＧ２を、第４レンズＬ４が全体として負の屈折力を有する第３レンズ群ＬＧ３を構成している。
【００９１】
実施例７の撮像光学系１（図１５参照）は、物体側から順に、開口絞りＳＴと、正の第１レンズＬ１と、負の第２レンズＬ２と、正の第３レンズＬ３と、負の第４レンズＬ４と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は像側に凸の正メニスカスレンズであり、第４レンズＬ４は像側に凹の負メニスカスレンズである。なお、第１レンズＬ１及び第２レンズＬ３が全体として正の屈折力を有する第１レンズ群ＬＧ１を、第３レンズＬ３が全体として正の屈折力を有する第２レンズ群ＬＧ２を、第４レンズＬ４が全体として負の屈折力を有する第３レンズ群ＬＧ３を構成している。
【００９２】
実施例８の撮像光学系１（図１６参照）は、物体側から順に、正の第１レンズＬ１と、開口絞りＳＴと、負の第２レンズＬ２と、正の第３レンズＬ３と、正の第４レンズＬ４と、負の第５レンズＬ５と、から構成されており、レンズ面は全て非球面である。近軸の面形状で各レンズを見た場合、第１レンズＬ１は両凸の正レンズであり、第２レンズＬ２は像側に凹の負メニスカスレンズであり、第３レンズＬ３は両凸の正レンズであり、第４レンズＬ４は像側に凸の正メニスカスレンズであり、第５レンズＬ５は像側に凹の負メニスカスレンズである。なお、第１レンズＬ１及び第２レンズＬ３が全体として正の屈折力を有する第１レンズ群ＬＧ１を、第３レンズＬ３及び第４レンズＬ４が全体として正の屈折力を有する第２レンズ群ＬＧ２を、第５レンズＬ５が全体として負の屈折力を有する第３レンズ群ＬＧ３を構成している。
【００９３】
実施例１
単位：mm
面データ
面番号             r          d       dm        nd       vd   有効半径
1*            1.919      0.709            1.54470   56.2    1.11
2*          -13.675      0.030                              0.87
3 (絞り)       ∞        0.020                              0.80
4*            4.123      0.300            1.63200   23.4    0.82
5*            1.652      0.726   0.566                      0.87
6*            3.731      0.523            1.53050   55.7    1.43
7*            3.720      0.247                              1.64
8*          -55.999      0.768            1.54470   56.2    1.68
9*           -2.045      0.541   0.701                      1.83
10*            3.866      0.450            1.53050   55.7    2.16
11*            1.208      0.490                              2.58
12              ∞        0.145            1.51630   64.1    2.87
13              ∞                                           2.90
【００９４】
非球面データ
第1面
K= 0.41896E-01
A4=-0.35926E-03
A6=-0.70430E-02
A8= 0.70704E-02
A10=-0.38897E-02
【００９５】
第2面
K=-0.84487E+01
A4= 0.28585E-01
A6= 0.23500E-01
A8=-0.49866E-01
A10= 0.22567E-01
【００９６】
第4面
K=-0.29234E+02
A4=-0.68765E-02
A6= 0.98390E-01
A8=-0.15680E+00
A10= 0.13102E+00
A12=-0.51129E-01
【００９７】
第5面
K=-0.45194E+01
A4= 0.25276E-01
A6= 0.64564E-01
A8=-0.44051E-01
A10=-0.15027E-02
A12= 0.13804E-01
【００９８】
第6面
K=-0.21242E+02
A4=-0.11219E-02
A6=-0.88735E-02
A8= 0.55257E-02
A10=-0.23109E-02
A12= 0.10780E-03
【００９９】
第7面
K=-0.22232E+02
A4=-0.56494E-02
A6=-0.76307E-02
A8= 0.19503E-02
A10=-0.96862E-03
A12=-0.29481E-04
【０１００】
第8面
K=-0.42418E+05
A4=-0.35840E-01
A6= 0.64695E-02
A8= 0.18540E-02
A10=-0.11067E-02
A12= 0.12493E-03
【０１０１】
第9面
K=-0.64254E+01
A4=-0.91029E-01
A6= 0.50074E-01
A8=-0.24836E-01
A10= 0.12241E-01
A12=-0.25207E-02
A14= 0.23437E-04
A16= 0.32363E-04
【０１０２】
第10面
K=-0.11861E+03
A4=-0.20365E+00
A6= 0.83889E-01
A8=-0.14189E-01
A10= 0.28182E-03
A12= 0.17663E-03
A14=-0.12455E-04
【０１０３】
第11面
K=-0.72109E+01
A4=-0.80466E-01
A6= 0.28408E-01
A8=-0.72168E-02
A10= 0.11783E-02
A12=-0.11781E-03
A14= 0.53062E-05
【０１０４】
各種データ
f          4.3(物体距離∞)
Fno.       2.40(物体距離∞)
f          4.050(物体距離10cm)
Fno.       2.42(物体距離10cm)
ω        33.2
2Y'        5.712
fB         0.3
ENTP       0.57
EXTP      -2.47
H1        -1.8
H2        -4
【０１０５】
単レンズデータ
レンズ   始面   焦点距離
1       1       3.140
2       4      -4.578
3       6     153.475
4       8       3.877
5      10      -3.518
【０１０６】
レンズ群データ
レンズ群  始面   焦点距離
1        1       6.479
2        6       3.989
3       10      -3.518
【０１０７】
実施例２
単位：mm
面データ
面番号             r          d       dm        nd       vd   有効半径
1*            1.950      0.535            1.54470   56.2    0.99
2*          -38.523      0.000                              0.83
3 (絞り)       ∞        0.100                              0.80
4*            2.499      0.230            1.63200   23.4    0.85
5*            1.392      0.726   0.562                      0.88
6*            2.405      0.396            1.54470   56.2    1.47
7*            2.468      0.408                              1.65
8*           -5.418      0.645            1.54470   56.2    1.71
9*           -1.760      0.250   0.414                      1.82
10*            1.536      0.474            1.53050   55.7    2.45
11*            0.919      0.735                              2.60
12              ∞        0.300            1.51630   64.1    2.85
13              ∞                                           2.91
【０１０８】
非球面データ
第1面
K=-0.30243E+00
A4=-0.28002E-02
A6=-0.29517E-01
A8= 0.34971E-01
A10=-0.33248E-01
【０１０９】
第2面
K=-0.14013E+02
A4=-0.55230E-01
A6= 0.14702E+00
A8=-0.19517E+00
A10= 0.71396E-01
【０１１０】
第4面
K=-0.20622E+02
A4=-0.27472E-01
A6= 0.19885E+00
A8=-0.23760E+00
A10= 0.10061E+00
A12=-0.68691E-02
【０１１１】
第5面
K=-0.56420E+01
A4= 0.58302E-01
A6= 0.84456E-01
A8=-0.50109E-01
A10=-0.53197E-01
A12= 0.49364E-01
【０１１２】
第6面
K=-0.62762E+01
A4=-0.31708E-01
A6= 0.61870E-02
A8=-0.14411E-03
A10=-0.53252E-03
A12=-0.16564E-03
【０１１３】
第7面
K=-0.48687E+01
A4=-0.25130E-01
A6=-0.10666E-01
A8= 0.10673E-01
A10=-0.58414E-02
A12= 0.95948E-03
【０１１４】
第8面
K=-0.20000E+03
A4=-0.53315E-01
A6= 0.38504E-01
A8=-0.17963E-01
A10= 0.41318E-02
A12=-0.26521E-03
【０１１５】
第9面
K=-0.17424E+01
A4=-0.37902E-01
A6= 0.36037E-01
A8=-0.17731E-01
A10= 0.10871E-01
A12=-0.26589E-02
A14= 0.14780E-04
A16= 0.45854E-04
【０１１６】
第10面
K=-0.10849E+02
A4=-0.15806E+00
A6= 0.64023E-01
A8=-0.10627E-01
A10= 0.36323E-03
A12= 0.89482E-04
A14=-0.72474E-05
【０１１７】
第11面
K=-0.43003E+01
A4=-0.95804E-01
A6= 0.36222E-01
A8=-0.10191E-01
A10= 0.18946E-02
A12=-0.20474E-03
A14= 0.94721E-05
【０１１８】
各種データ
f          4.09(物体距離∞)
Fno.       2.40(物体距離∞)
f          3.923(物体距離10cm)
Fno.       2.44(物体距離10cm)
ω        34.5
2Y'        5.712
fB         0.3
ENTP       0.38
EXTP      -3.01
H1        -0.58
H2        -3.79
【０１１９】
単レンズデータ
レンズ   始面   焦点距離
1       1       3.424
2       4      -5.406
3       6      53.649
4       8       4.505
5      10      -5.875
【０１２０】
レンズ群データ
レンズ群  始面   焦点距離
1        1       6.707
2        6       4.471
3       10      -5.875
【０１２１】
実施例３
単位：mm
面データ
面番号             r          d       dm        nd       vd   有効半径
1*            1.949      0.538            1.54470   56.2    0.99
2*          -21.407     -0.004                              0.82
3 (絞り)       ∞        0.054                              0.80
4*            2.864      0.280            1.63200   23.4    0.85
5*            1.463      0.736   0.573                      0.89
6*            2.489      0.345            1.54470   56.2    1.47
7*            2.580      0.379                              1.66
8*           -5.438      0.724            1.54470   56.2    1.78
9*           -1.782      0.250   0.413                      1.85
10*            1.738      0.535            1.53050   55.7    2.46
11*            0.991      0.817                              2.64
12              ∞        0.145            1.51630   64.1    2.89
13              ∞                                           2.92
【０１２２】
非球面データ
第1面
K=-0.25694E+00
A4=-0.21741E-02
A6=-0.24708E-01
A8= 0.29221E-01
A10=-0.27185E-01
【０１２３】
第2面
K= 0.59165E+01
A4=-0.41147E-01
A6= 0.15575E+00
A8=-0.21832E+00
A10= 0.88889E-01
【０１２４】
第4面
K=-0.18964E+02
A4=-0.30203E-01
A6= 0.19745E+00
A8=-0.23573E+00
A10= 0.95328E-01
A12= 0.23082E-02
【０１２５】
第5面
K=-0.43391E+01
A4= 0.34655E-01
A6= 0.80831E-01
A8=-0.33235E-01
A10=-0.53639E-01
A12= 0.46311E-01
【０１２６】
第6面
K=-0.67503E+01
A4=-0.29400E-01
A6= 0.37572E-02
A8= 0.34474E-03
A10=-0.11997E-02
A12=-0.62985E-04
【０１２７】
第7面
K=-0.47028E+01
A4=-0.25983E-01
A6=-0.87050E-02
A8= 0.10541E-01
A10=-0.61926E-02
A12= 0.10508E-02
【０１２８】
第8面
K=-0.20000E+03
A4=-0.57196E-01
A6= 0.39909E-01
A8=-0.14143E-01
A10= 0.27279E-02
A12=-0.14220E-03
【０１２９】
第9面
K=-0.20433E+01
A4=-0.53943E-01
A6= 0.37190E-01
A8=-0.16392E-01
A10= 0.10740E-01
A12=-0.26841E-02
A14= 0.37312E-05
A16= 0.49116E-04
【０１３０】
第10面
K=-0.11418E+02
A4=-0.16320E+00
A6= 0.65582E-01
A8=-0.10699E-01
A10= 0.34782E-03
A12= 0.91631E-04
A14=-0.73929E-05
【０１３１】
第11面
K=-0.43023E+01
A4=-0.94709E-01
A6= 0.35974E-01
A8=-0.10185E-01
A10= 0.18927E-02
A12=-0.20107E-03
A14= 0.90241E-05
【０１３２】
各種データ
f          4.09(物体距離∞)
Fno.       2.40(物体距離∞)
f          3.922(物体距離10cm)
Fno.       2.42(物体距離10cm)
ω        34.5
2Y'        5.712
fB         0.29
ENTP       0.38
EXTP      -3
H1        -0.6
H2        -3.79
【０１３３】
単レンズデータ
レンズ   始面   焦点距離
1       1       3.306
2       4      -5.132
3       6      55.314
4       8       4.549
5      10      -5.786
【０１３４】
レンズ群データ
レンズ群  始面   焦点距離
1        1       6.582
2        6       4.484
3       10      -5.786
【０１３５】
実施例４
単位：mm
面データ
面番号             r          d       dm        nd       vd   有効半径
1*            1.551      0.433            1.54470   56.2    0.88
2*           48.237      0.048                              0.74
3 (絞り)       ∞        0.002                              0.69
4*            2.606      0.183            1.63200   23.4    0.71
5*            1.411      0.792   0.653                      0.74
6*            5.418      0.325            1.58300   30.0    1.17
7*            2.920      0.117                              1.49
8*         -232.117      0.883            1.54470   56.2    1.70
9*           -1.563      0.552   0.691                      1.74
10*            2.244      0.430            1.53050   55.7    2.35
11*            0.977      0.500                              2.64
12              ∞        0.145            1.51630   64.1    2.80
13              ∞                                           2.84
【０１３６】
非球面データ
第1面
K= 0.41415E+00
A4=-0.37689E-02
A6= 0.17668E-01
A8=-0.23233E-01
A10= 0.33420E-02
A12= 0.45468E-01
【０１３７】
第2面
K= 0.50000E+02
A4= 0.56716E-01
A6=-0.23292E-01
A8= 0.21713E-01
A10=-0.15444E-01
A12= 0.64215E-01
【０１３８】
第4面
K=-0.11747E+02
A4= 0.59161E-02
A6= 0.38159E-01
A8=-0.45582E-01
A10= 0.24607E-02
A12= 0.17962E-01
【０１３９】
第5面
K=-0.39137E+01
A4= 0.50498E-01
A6= 0.84768E-01
A8=-0.61733E-01
A10=-0.44361E-02
A12= 0.59071E-01
【０１４０】
第6面
K= 0.80090E+01
A4=-0.13885E+00
A6= 0.17173E-01
A8=-0.12066E-01
A10= 0.13749E-01
A12=-0.12510E-01
【０１４１】
第7面
K=-0.14055E+02
A4=-0.59943E-01
A6=-0.25211E-02
A8= 0.48573E-02
A10=-0.25635E-02
A12=-0.53913E-04
【０１４２】
第8面
K= 0.94435E+04
A4=-0.26923E-01
A6=-0.69462E-02
A8= 0.55880E-02
A10= 0.20439E-02
A12=-0.65770E-03
【０１４３】
第9面
K=-0.21964E+01
A4=-0.68710E-01
A6= 0.39030E-01
A8=-0.34380E-01
A10= 0.18717E-01
A12=-0.29798E-02
A14= 0.23194E-04
【０１４４】
第10面
K=-0.26589E+02
A4=-0.18864E+00
A6= 0.75124E-01
A8=-0.10881E-01
A10=-0.20196E-03
A12= 0.21077E-03
A14=-0.15301E-04
【０１４５】
第11面
K=-0.48047E+01
A4=-0.91556E-01
A6= 0.36408E-01
A8=-0.10524E-01
A10= 0.19471E-02
A12=-0.19775E-03
A14= 0.82707E-05
【０１４６】
各種データ
f          3.68(物体距離∞)
Fno.       2.45(物体距離∞)
f          3.500(物体距離10cm)
Fno.       2.45(物体距離10cm)
ω        36.7
2Y'        5.53
fB         0.29
ENTP       0.37
EXTP      -2.48
H1        -0.84
H2        -3.4
【０１４７】
単レンズデータ
レンズ   始面   焦点距離
1       1       2.933
2       4      -5.172
3       6     -11.406
4       8       2.884
5      10      -3.698
【０１４８】
レンズ群データ
レンズ群  始面   焦点距離
1        1       5.346
2        6       3.671
3       10      -3.698
【０１４９】
実施例５
単位：mm
面データ
面番号             r          d       dm        nd       vd   有効半径
1*            2.320      0.528            1.54470   56.2    0.99
2*           -7.843      0.030                              0.84
3 (絞り)       ∞        0.041                              0.71
4*            3.252      0.300            1.63200   23.4    0.74
5*            1.583      0.661   0.557                      0.81
6*            3.025      0.300            1.63200   23.4    1.25
7*            2.080      0.120                              1.53
8*            5.788      1.391            1.54470   56.2    1.85
9*           -1.647      0.334   0.438                      1.93
10*            1.946      0.490            1.54470   56.2    2.22
11*            0.869      0.700                              2.64
12              ∞        0.145            1.51630   64.1    2.82
13              ∞                                           2.86
【０１５０】
非球面データ
第1面
K=-0.22138E+00
A3=-0.88351E-03
A4=-0.10849E-01
A5= 0.14624E-02
A6=-0.14871E-01
A7=-0.41092E-03
A8= 0.48040E-02
A9=-0.64370E-03
A10=-0.19742E-01
A11= 0.12559E-03
A12= 0.60011E-03
A13= 0.98700E-03
A14= 0.11988E-02
A15= 0.11831E-02
A16= 0.90388E-03
A17= 0.33871E-03
A18=-0.22374E-03
A19=-0.13311E-02
A20=-0.27597E-02
【０１５１】
第2面
K= 0.22795E+02
A3= 0.45994E-04
A4= 0.30168E-01
A5=-0.80161E-04
A6= 0.17934E-02
A7= 0.12282E-02
A8=-0.96301E-01
A9= 0.16603E-02
A10= 0.57783E-01
A11= 0.16529E-02
A12= 0.92740E-03
A13=-0.10158E-03
A14=-0.14652E-02
A15=-0.32314E-02
A16=-0.50850E-02
A17=-0.65290E-02
A18=-0.56432E-02
A19=-0.15566E-02
A20= 0.62102E-02
【０１５２】
第4面
K=-0.14011E+02
A3=-0.36399E-02
A4= 0.10521E-01
A5=-0.25313E-02
A6= 0.10730E+00
A7=-0.16455E-02
A8=-0.23026E+00
A9= 0.28841E-02
A10= 0.15760E+00
A11= 0.52014E-02
A12=-0.11583E-01
A13= 0.25475E-02
A14=-0.74236E-03
A15=-0.47662E-02
A16=-0.88055E-02
A17=-0.11590E-01
A18=-0.10920E-01
A19=-0.34846E-02
A20= 0.15057E-01
【０１５３】
第5面
K=-0.44390E+01
A3=-0.17662E-02
A4= 0.24441E-01
A5=-0.10978E-02
A6= 0.79540E-01
A7=-0.14890E-02
A8=-0.82277E-01
A9= 0.15812E-02
A10=-0.29836E-01
A11= 0.34186E-02
A12= 0.63641E-01
A13= 0.67654E-03
A14=-0.24643E-02
A15=-0.59742E-02
A16=-0.87544E-02
A17=-0.89122E-02
A18=-0.47722E-02
A19= 0.81122E-02
A20= 0.32854E-01
【０１５４】
第6面
K=-0.25309E+02
A3=-0.27600E-02
A4=-0.50027E-01
A5= 0.40529E-03
A6=-0.15959E-01
A7= 0.65393E-04
A8= 0.36509E-02
A9=-0.27129E-03
A10= 0.66114E-02
A11=-0.84400E-04
A12=-0.52711E-02
A13= 0.62713E-04
A14= 0.67589E-04
A15= 0.49187E-04
A16= 0.23528E-04
A17= 0.35196E-05
A18=-0.80046E-05
A19=-0.88937E-05
A20=-0.23669E-05
【０１５５】
第7面
K=-0.12888E+02
A3= 0.35829E-03
A4=-0.31911E-01
A5=-0.25577E-03
A6=-0.11048E-01
A7= 0.46714E-04
A8= 0.52643E-02
A9= 0.60807E-04
A10=-0.48379E-03
A11=-0.85321E-05
A12=-0.47485E-03
A13=-0.50193E-05
A14= 0.10985E-05
A15= 0.37818E-05
A16= 0.41821E-05
A17= 0.29767E-05
A18= 0.13539E-05
A19=-0.79265E-07
A20=-0.10930E-05
【０１５６】
第8面
K=-0.27859E+02
A3=-0.72094E-03
A4=-0.17807E-01
A5= 0.13927E-03
A6= 0.78236E-02
A7= 0.15930E-03
A8= 0.17687E-02
A9= 0.28790E-04
A10=-0.81274E-03
A11=-0.20335E-05
A12= 0.55026E-04
A13=-0.21807E-05
A14=-0.11154E-05
A15=-0.39576E-06
A16=-0.23177E-07
A17= 0.73803E-07
A18= 0.80081E-07
A19= 0.52432E-07
A20= 0.26497E-07
【０１５７】
第9面
K=-0.14772E+01
A3=-0.26748E-02
A4=-0.38633E-01
A5= 0.26239E-03
A6= 0.44326E-01
A7= 0.20371E-04
A8=-0.37178E-01
A9= 0.22525E-04
A10= 0.17661E-01
A11= 0.75572E-05
A12=-0.30949E-02
A13= 0.98269E-06
A14= 0.10378E-04
A15=-0.17678E-06
A16= 0.31387E-04
A17=-0.69780E-07
A18=-0.25511E-07
A19= 0.14334E-08
A20= 0.11049E-07
【０１５８】
第10面
K=-0.17853E+02
A3=-0.56622E-02
A4=-0.18458E+00
A5= 0.99443E-03
A6= 0.60900E-01
A7= 0.19682E-04
A8=-0.74261E-02
A9=-0.18022E-04
A10= 0.38630E-03
A11=-0.20844E-05
A12=-0.10005E-03
A13= 0.80533E-06
A14= 0.15281E-04
A15= 0.19233E-06
A16= 0.71169E-07
A17= 0.16057E-07
A18=-0.91132E-08
A19=-0.87933E-08
A20=-0.64079E-08
【０１５９】
第11面
K=-0.37528E+01
A3=-0.93591E-02
A4=-0.91891E-01
A5= 0.55940E-02
A6= 0.34040E-01
A7=-0.49685E-03
A8=-0.93912E-02
A9= 0.37605E-04
A10= 0.15533E-02
A11= 0.51139E-05
A12=-0.14004E-03
A13= 0.37474E-06
A14= 0.52567E-05
A15=-0.85652E-07
A16=-0.31453E-07
A17=-0.10484E-07
A18=-0.23880E-08
A19= 0.12900E-08
A20= 0.62972E-09
【０１６０】
各種データ
f          3.63(物体距離∞)
Fno.       2.40(物体距離∞)
f          3.476(物体距離10cm)
Fno.       2.40(物体距離10cm)
ω        36.9
2Y'        5.53
fB         0.13
ENTP       0.41
EXTP      -2.82
H1        -0.43
H2        -3.5
【０１６１】
単レンズデータ
レンズ   始面   焦点距離
1       1       3.348
2       4      -5.249
3       6     -12.023
4       8       2.521
5      10      -3.434
【０１６２】
レンズ群データ
レンズ群  始面   焦点距離
1        1       6.694
2        6       3.058
3       10      -3.434
【０１６３】
実施例６
単位：mm
面データ
面番号             r          d       dm        nd       vd   有効半径
1 (絞り)       ∞        0.000                              0.85
2*            2.063      0.593            1.54470   56.2    1.15
3*          -13.004      0.050                              1.14
4*            2.569      0.288            1.63200   23.4    1.16
5*            1.324      0.964   0.814                      1.16
6*           79.139      0.899            1.54470   56.2    1.82
7*           -2.581      0.592   0.742                      1.86
8*            1.758      0.510            1.54470   56.2    2.26
9*            1.032      0.700                              2.61
10              ∞        0.145            1.51630   64.1    2.83
11              ∞                                           2.86
【０１６４】
非球面データ
第2面
K= 0.35079E+00
A4= 0.54384E-02
A6=-0.93758E-02
A8= 0.67299E-02
A10= 0.33136E-02
【０１６５】
第3面
K= 0.72675E+01
A4= 0.45938E-01
A6=-0.70962E-01
A8= 0.91426E-01
A10=-0.24161E-01
【０１６６】
第4面
K=-0.74930E+01
A4=-0.44538E-01
A6=-0.41307E-01
A8= 0.75935E-01
A10=-0.86915E-03
A12=-0.15540E-01
【０１６７】
第5面
K=-0.29139E+01
A4=-0.17640E-01
A6= 0.26285E-01
A8=-0.25742E-01
A10= 0.45900E-01
A12=-0.19641E-01
【０１６８】
第6面
K=-0.68981E+04
A4= 0.20614E-01
A6=-0.15379E-01
A8= 0.12847E-01
A10=-0.40650E-02
A12= 0.46243E-03
【０１６９】
第7面
K=-0.57775E+01
A4=-0.66796E-01
A6= 0.56108E-01
A8=-0.35663E-01
A10= 0.16470E-01
A12=-0.32403E-02
A14= 0.48988E-04
A16= 0.38618E-04
【０１７０】
第8面
K=-0.92343E+01
A4=-0.13915E+00
A6= 0.32207E-01
A8=-0.29637E-02
A10= 0.55955E-03
A12=-0.15757E-03
A14= 0.14149E-04
【０１７１】
第9面
K=-0.39719E+01
A4=-0.86033E-01
A6= 0.28001E-01
A8=-0.74526E-02
A10= 0.13072E-02
A12=-0.12455E-03
A14= 0.47834E-05
【０１７２】
各種データ
f          4.09(物体距離∞)
Fno.       2.40(物体距離∞)
f          3.942(物体距離10cm)
Fno.       2.43(物体距離10cm)
ω        34.5
2Y'        5.712
fB         0.36
ENTP       0
EXTP      -3.02
H1        -0.86
H2        -3.72
【０１７３】
単レンズデータ
レンズ   始面   焦点距離
1       2       3.315
2       4      -4.747
3       6       4.606
4       8      -6.104
【０１７４】
レンズ群データ
レンズ群  始面   焦点距離
1        1       7.096
2        6       4.606
3        8      -6.104
【０１７５】
実施例７
単位：mm
面データ
面番号             r          d       dm        nd       vd   有効半径
1 (絞り)       ∞       -0.032                              0.85
2*            1.951      0.566            1.54470   56.2    1.05
3*          -17.056      0.050                              1.05
4*            2.894      0.254            1.63200   23.4    1.08
5*            1.455      1.065   0.914                      1.07
6*         -120.951      0.902            1.54470   56.2    1.48
7*           -2.489      0.510   0.660                      1.63
8*            1.852      0.547            1.54470   56.2    1.89
9*            1.027      0.700                              2.26
10              ∞        0.145            1.51630   64.1    2.43
11              ∞                                           2.47
【０１７６】
非球面データ
第2面
K= 0.37954E+00
A4= 0.42487E-03
A6=-0.58565E-02
A8= 0.29946E-02
A10= 0.40040E-02
【０１７７】
第3面
K= 0.50000E+02
A4= 0.36810E-01
A6=-0.68088E-01
A8= 0.99686E-01
A10=-0.30795E-01
【０１７８】
第4面
K=-0.98054E+01
A4=-0.38873E-01
A6=-0.41122E-01
A8= 0.79571E-01
A10= 0.71123E-02
A12=-0.23859E-01
【０１７９】
第5面
K=-0.27418E+01
A4=-0.21715E-01
A6= 0.27806E-01
A8=-0.16153E-01
A10= 0.48907E-01
A12=-0.25155E-01
【０１８０】
第6面
K= 0.55129E+04
A4= 0.88868E-02
A6=-0.13257E-01
A8= 0.11592E-01
A10=-0.41505E-02
A12= 0.42410E-03
【０１８１】
第7面
K=-0.54244E+01
A4=-0.77850E-01
A6= 0.56741E-01
A8=-0.35018E-01
A10= 0.16195E-01
A12=-0.33737E-02
A14= 0.38167E-04
A16= 0.47113E-04
【０１８２】
第8面
K=-0.10923E+02
A4=-0.15245E+00
A6= 0.38133E-01
A8=-0.29435E-02
A10= 0.44349E-03
A12=-0.20516E-03
A14= 0.22549E-04
【０１８３】
第9面
K=-0.42062E+01
A4=-0.80572E-01
A6= 0.25434E-01
A8=-0.67765E-02
A10= 0.12331E-02
A12=-0.12285E-03
A14= 0.48562E-05
【０１８４】
各種データ
f          4.09(物体距離∞)
Fno.       2.40(物体距離∞)
f          3.942(物体距離10cm)
Fno.       2.43(物体距離10cm)
ω        34.5
2Y'        5.712
fB         0.35
ENTP       0
EXTP      -2.96
H1        -0.96
H2        -3.74
【０１８５】
単レンズデータ
レンズ   始面   焦点距離
1       2       3.249
2       4      -4.968
3       6       4.653
4       8      -5.518
【０１８６】
レンズ群データ
レンズ群  始面   焦点距離
1        1       6.620
2        6       4.653
3        8      -5.518
【０１８７】
実施例８
単位：mm
面データ
面番号             r          d       dm        nd       vd   有効半径
1*            2.794       0.60            1.54470   56.2    0.96
2*          -15.241       0.03                              0.69
3 (絞り)       ∞         0.06                              0.63
4*            2.060       0.30            1.63200   23.4    0.69
5*            1.292       0.60   0.507                      0.77
6*            5.256       1.08            1.54470   56.2    1.31
7*           -2.528       0.22                              1.53
8*           -1.234       0.45            1.63200   23.4    1.64
9*           -1.133       0.41   0.504                      1.72
10*            7.226       0.65            1.63200   23.4    1.89
11*            1.418       0.50                              2.51
12              ∞         0.30            1.51630   64.1    2.79
13              ∞                                           2.87
【０１８８】
非球面データ
第1面
K= 0.69209E+00
A4= 0.52106E-02
A6= 0.14389E-01
A8=-0.47556E-01
A10= 0.10714E+00
A12=-0.92454E-01
A14= 0.32977E-01
【０１８９】
第2面
K= 0.12110E+02
A4=-0.29709E-01
A6= 0.23913E+00
A8=-0.42925E+00
A10= 0.64063E+00
A12=-0.64759E+00
A14= 0.34145E+00
【０１９０】
第4面
K=-0.97334E+01
A4=-0.79196E-01
A6= 0.18988E+00
A8=-0.76588E-01
A10=-0.37412E+00
A12= 0.75641E+00
A14=-0.43044E+00
【０１９１】
第5面
K=-0.37509E+01
A4=-0.43905E-01
A6= 0.78331E-01
A8= 0.15738E-02
A10=-0.15496E+00
A12= 0.22392E+00
A14=-0.10266E+00
【０１９２】
第6面
K= 0.12084E+02
A4=-0.18387E-01
A6=-0.21808E-01
A8= 0.27119E-01
A10=-0.26987E-01
A12= 0.95160E-02
A14=-0.11120E-02
【０１９３】
第7面
K=-0.50031E+00
A4=-0.13089E-01
A6= 0.16455E-01
A8=-0.19307E-01
A10= 0.10697E-01
A12=-0.39845E-02
A14= 0.66084E-03
【０１９４】
第8面
K=-0.57182E+00
A4= 0.48335E-01
A6= 0.47253E-01
A8=-0.32998E-02
A10=-0.31320E-02
A12= 0.11277E-02
A14=-0.12406E-03
【０１９５】
第9面
K=-0.25945E+01
A4=-0.76929E-01
A6= 0.54855E-01
A8=-0.51051E-02
A10= 0.16342E-02
A12=-0.10678E-02
A14= 0.13050E-03
【０１９６】
第10面
K=-0.30000E+02
A4=-0.13156E+00
A6= 0.32407E-01
A8=-0.22211E-02
A10=-0.90932E-03
A12= 0.16975E-03
A14=-0.63405E-06
【０１９７】
第11面
K=-0.57247E+01
A4=-0.70789E-01
A6= 0.22784E-01
A8=-0.57758E-02
A10= 0.92623E-03
A12=-0.87481E-04
A14= 0.36677E-05
【０１９８】
各種データ
f          3.83(物体距離∞)
Fno.       2.81(物体距離∞)
f          3.649(物体距離10cm)
Fno.       2.81(物体距離10cm)
ω        37.6
2Y'        5.96
fB         0.25
ENTP       0.46
EXTP      -2.69
H1        -0.7
H2        -3.57
【０１９９】
単レンズデータ
レンズ   始面   焦点距離
1       1       4.387
2       4      -6.471
3       6       3.294
4       8       8.010
5      10      -2.919
【０２００】
レンズ群データ
レンズ群  始面   焦点距離
1        1       9.189
2        6       2.747
3       10      -2.919
【０２０１】
【表１】
2011209352.tif 000004
【０２０２】
図１７〜図２４に示すように、実施例１〜８の撮像光学系は良好な収差特性を示す。また、実施例１〜８はいずれも条件式（１）、（２）を満足する。すなわち、本発明によれば、良好な光学特性を備える撮像光学系を精度良く、効率的に得ることが可能である。
【０２０３】
ところで、上述した実施例では、固体撮像素子７０の撮像面７０ａに入射する光束の主光線入射角が、撮像面７０ａ周辺部において必ずしも十分に小さい設計にはなっていない。しかし、最近の技術では、固体撮像素子の色フィルターやオンチップマイクロレンズアレイの配列の見直しによって、シェーディングを軽減することができるようになってきている。具体的には、固体撮像素子の撮像面の画素ピッチに対し、色フィルターやオンチップマイクロレンズアレイの配列のピッチをわずかに小さく設定すれば、撮像面の周辺部にいくほど各画素に対し色フィルターやオンチップマイクロレンズアレイが撮像光学系（撮像レンズ）の光軸側へシフトするため、斜入射の光束を効率的に各画素の受光部に導くことができる。これにより固体撮像素子で発生するシェーディングを小さく抑えることができる。この点を考慮して、上述の各実施例では、より小型化を目指した設計例となっている。
【０２０４】
（その他）
なお、本発明は以上に示した実施形態及び実施例の構成に限定されない。すなわち、本発明の目的を逸脱しない範囲で種々の変更が可能である。
【０２０５】
以上においては、本発明が単焦点の撮像光学系に適用される場合を示したが、単焦点の撮像光学系に限らず、撮像光学系に広く適用可能であり、更には撮像光学系以外の光学系（例えば光ピックアックを構成する光学系等）にも適用可能である。すなわち、位置基準マークが施された２つのレンズ間に更にレンズが配置される構成の光学系に広く適用可能である。
【０２０６】
また、以上においては、位置基準マークがレンズセンタに設けられる構成を示したが、位置基準マークが設けられる位置はこの位置に限定されるものではない。例えば、レンズ周辺のコバ部（レンズの有効部の周囲に設けられる部分；例えば図２の符号Ｌ２ＡやＬ５Ａ参照）に設けられる構成としても勿論構わない。この場合の位置基準マークは、本実施形態で示したような構成でも良いし、その他リング状等であっても構わない。
【産業上の利用可能性】
【０２０７】
本発明は、固体撮像素子の撮像面に被写体を結像させる撮像光学系に好適である。
【符号の説明】
【０２０８】
１      撮像光学系
７０    固体撮像素子
７０ａ  撮像面
Ｌ１    第１レンズ
Ｌ２    第２レンズ（第１のマークレンズ）
Ｌ３    第３レンズ
Ｌ４    第４レンズ（第２のマークレンズの場合あり）
Ｌ５    第５レンズ（第２のマークレンズの場合あり）
ＬＧ１  第１レンズ群
ＬＧ２  第２レンズ群（中間レンズ群）
ＬＧ３  第３レンズ群
Ｍ１、Ｍ２  位置基準マーク
Ｌ２Ａ、Ｌ５Ａ  コバ部
【図１】
2011209352.tif 000005
【図２】
2011209352.tif 000006
【図３】
2011209352.tif 000007
【図４】
2011209352.tif 000008
【図５】
2011209352.tif 000009
【図６】
2011209352.tif 000010
【図７】
2011209352.tif 000011
【図８】
2011209352.tif 000012
【図９】
2011209352.tif 000013
【図１０】
2011209352.tif 000014
【図１１】
2011209352.tif 000015
【図１２】
2011209352.tif 000016
【図１３】
2011209352.tif 000017
【図１４】
2011209352.tif 000018
【図１５】
2011209352.tif 000019
【図１６】
2011209352.tif 000020
【図１７】
2011209352.tif 000021
【図１８】
2011209352.tif 000022
【図１９】
2011209352.tif 000023
【図２０】
2011209352.tif 000024
【図２１】
2011209352.tif 000025
【図２２】
2011209352.tif 000026
【図２３】
2011209352.tif 000027
【図２４】
2011209352.tif 000028